(57)【要約】【課題】端子の接続不良を抑制することを課題とする。【解決手段】電子装置は、接続端子を挿入する挿入部を有する。そして、電子装置は、電子装置が移動させられた際の加速度を検出する。電子装置は、挿入部と電気的に接続され、挿入部との接続ラインの電位に基づいて、接続端子が挿入部に挿入されているか否かを検出する。電子装置は、検出された加速度が閾値未満から閾値以上になった場合に、接続ラインへの電圧の印加を開始する。【選択図】図３
2015167282.tif 000002
【特許請求の範囲】
【請求項１】
接続端子を挿入する挿入部を有する電子装置において、
前記電子装置が移動させられた際の加速度を検出する第１の検出部と、
前記挿入部と電気的に接続され、前記挿入部との接続ラインの電位に基づいて、前記接続端子が前記挿入部に挿入されているか否かを検出する第２の検出部と、
前記第１の検出部によって検出された加速度が閾値未満から前記閾値以上になった場合に、前記接続ラインへの電圧の印加を開始する電圧制御部と、
を有することを特徴とする電子装置。
【請求項２】
前記電圧制御部は、前記接続ラインに電圧が印加された状態で前記第２の検出部によって前記接続端子が前記挿入部に挿入されていないと検出された場合に、前記接続ラインへの電圧の印加を停止する、ことを特徴とする請求項１に記載の電子装置。
【請求項３】
前記第２の検出部は、前記接続ラインに電圧が印加されてから所定の時間間隔で、前記接続端子が前記挿入部に挿入されているか否かを検出し、
前記電圧制御部は、前記接続ラインに電圧が印加されてから前記第２の検出部によって前記接続端子が前記挿入部に挿入されていることが検出されている間、前記接続ラインに電圧を印加し、前記第２の検出部によって前記接続端子が前記挿入部に挿入されていないことが検出されると、前記接続ラインへの電圧の印加を停止する、
ことを特徴とする請求項１又は２に記載の電子装置。
【請求項４】
前記電圧制御部は、前記接続ラインに電圧が印加されてから所定期間経過後に前記接続ラインへの電圧の印加を停止する、ことを特徴とする請求項１に記載の電子装置。
【請求項５】
接続端子を挿入する挿入部を有する電子装置が、
前記電子装置が移動させられた際の加速度を検出し、
検出された加速度が閾値未満から前記閾値以上になった場合に、前記挿入部に接続される接続ラインへの電圧の印加を開始し、
前記接続ラインの電位に基づいて、前記接続端子が前記挿入部に挿入されているか否かを検出する、
処理を含んだことを特徴とする電圧制御方法。
【請求項６】
接続端子を挿入する挿入部を有する電子装置に、
前記電子装置が移動させられた際の加速度を検出し、
検出された加速度が閾値未満から前記閾値以上になった場合に、前記挿入部に接続される接続ラインへの電圧の印加を開始し、
前記接続ラインの電位に基づいて、前記接続端子が前記挿入部に挿入されているか否かを検出する、
処理を実行させることを特徴とする電圧制御プログラム。
【発明の詳細な説明】
【技術分野】
【０００１】
本発明は、電子装置、電圧制御方法および電圧制御プログラムに関する。
【背景技術】
【０００２】
近年、スマートフォン、タブレット端末などの電子装置が普及しており、故障率を低減する要求が高まっている。故障としては、電子回路内のスイッチやイヤホンジャックなどの端子挿入部に発生する錆や酸化膜による接触不良などがある。
【０００３】
接触不良を抑制する技術として、例えば、スイッチをオン状態とした際に、スイッチにパネル状電流を供給してスイッチ接点に生じた酸化膜を破壊することで、スイッチ接点の接触不良を抑制する技術が知られている。また、端子挿入部に端子が接続された場合に、端子を回転させて錆を取り除くことで、端子の接触不良を抑制する技術が知られている。
【先行技術文献】
【特許文献】
【０００４】
【特許文献１】特開２０１１−２３０６５２号公報
【特許文献２】特開２０００−１８２６８５号公報
【特許文献３】特開平０６−０９６６３７号公報
【発明の概要】
【発明が解決しようとする課題】
【０００５】
しかしながら、上記技術では、錆などの発生を抑制することができず、錆の除去にも限界があることから、接触不良の抑制力が弱い。例えば、イヤホンジャックの場合、挿入部である内壁が常時プルアップ状態にあるので、内壁に電子の流れによる錆が継続的に発生する。このため、イヤホンとイヤホンジャック間が接触不良となり、イヤホンを認識しないや音が途切れるなどの誤動作を引き起こす。
【０００６】
開示の技術は、上記に鑑みてなされたものであって、端子の接続不良を抑制することができる電子装置、電圧制御方法および電圧制御プログラムを提供することを目的とする。
【課題を解決するための手段】
【０００７】
第１の案では、電子装置は、接続端子を挿入する挿入部を有し、前記電子装置が移動させられた際の加速度を検出する第１の検出部を有する。電子装置は、前記挿入部と電気的に接続され、前記挿入部との接続ラインの電位に基づいて、前記接続端子が前記挿入部に挿入されているか否かを検出する第２の検出部を有する。電子装置は、前記第１の検出部によって検出された加速度が閾値未満から前記閾値以上になった場合に、前記接続ラインへの電圧の印加を開始する電圧制御部を有する。
【発明の効果】
【０００８】
１実施形態によれば、端子の接続不良を抑制することができる。
【図面の簡単な説明】
【０００９】
【図１】図１は、実施例１に係る携帯電話機を説明する図である。
【図２】図２は、実施例１に係る携帯電話機のハードウェア構成例を示す図である。
【図３】図３は、実施例１に係る携帯電話機の機能構成を示す機能ブロック図である。
【図４】図４は、実施例１に係る電圧制御処理の流れを示すフローチャートである。
【図５】図５は、実施例１に係る電圧制御の処理遷移を説明する図である。
【図６】図６は、実施例２に係る電圧制御処理の流れを示すフローチャートである。
【図７】図７は、実施例２に係る電圧制御の処理遷移を説明する図である。
【発明を実施するための形態】
【００１０】
以下に、本願の開示する電子装置、電圧制御方法および電圧制御プログラムの実施例を図面に基づいて詳細に説明する。なお、この実施例によりこの発明が限定されるものではない。
【実施例１】
【００１１】
［全体構成例］
図１は、実施例１に係る携帯電話機を説明する図である。ここでは、携帯電話機を例にして説明するが、これに限定されるものではなく、例えばスマートフォンなどの端末や携帯型の音楽プレイヤー等についても同様に適用することができる。
【００１２】
図１に示すように、携帯電話機１０は、内部に音楽データを記憶する記憶部や音楽データを再生する制御部などを有する。携帯電話機１０は、イヤホンジャック１０ｇにイヤホン３０が挿入されると、音楽データを再生してイヤホン３０に出力する。
【００１３】
このような携帯電話機１０は、イヤホン３０を挿入するイヤホンジャック１０ｇを有し、携帯電話機１０が移動させられた際の加速度αを検出する。そして、携帯電話機１０は、イヤホンジャック１０ｇと電気的に接続され接続ラインの電位に基づいて、イヤホン３０がイヤホンジャック１０ｇに挿入されているか否かを検出する。一方で、携帯電話機１０は、検出された加速度αが閾値以上である場合に、イヤホンジャック１０ｇへの電圧印加を開始する。
【００１４】
したがって、携帯電話機１０は、閾値以上の加速度で移動させられるとイヤホンジャック１０ｇに検出用電圧を印加し、イヤホンの挿入が検出されない場合は印加を停止する。この結果、携帯電話機１０は、電圧の常時印加による錆の発生を抑制し、接続不良を抑制できる。
【００１５】
［ハードウェア構成］
図２は、実施例１に係る携帯電話機のハードウェア構成例を示す図である。図２に示すように、携帯電話機１０は、ＣＰＵ（Central  Processing  Unit）１０ａ、メモリ１０ｂ、ＨＤＤ（Hard  Disk  Drive）１０ｃ、表示デバイス１０ｄ、加速度センサ１０ｅ、入出力デバイス１０ｆ、イヤホンジャック１０ｇ、無線デバイス１０ｈを有する。なお、ここで図示したハードウェアは、一例であり、これらに以外にもカメラ、温度センサ、位置情報取得センサなどを有してもよい。
【００１６】
ＣＰＵ１０ａは、ＯＳ（Operating  System）やアプリケーションプログラムなどの種々のプログラムを実行する。例えば、ＣＰＵ１０ａは、図３等を用いて説明する各処理部と同様の機能を有するプログラムをＨＤＤ１０ｃから読み出して、メモリ１０ｂに展開する。そして、ＣＰＵ１０ａは、各処理部と同様の処理を実行するプロセスを実行する。
【００１７】
メモリ１０ｂは、ＯＳやアプリケーションプログラムを格納しているＲＯＭ（Read  Only  Memory）や、ＣＰＵ１０ａの作業領域として使用されるＲＡＭ（Random  Access  Memory）などを有する。
【００１８】
ＨＤＤ１０ｃは、データベースなどを記憶する記憶装置であり、例えばＣＰＵ１０ａが実行する各種プログラムを記憶する。表示デバイス１０ｄは、ＣＰＵ１０ａによる種々のプログラムの実行結果を文字や画像で表示する表示装置である。また、表示デバイス１０ｄは、タッチパネルとしても機能し、キーボード等を連携してポインティングデバイスとしても機能する。
【００１９】
加速度センサ１０ｅは、一定時間あたりの速度変化値を測定することができるセンサであり、携帯電話機１０が移動させられた際の加速度を測定する。入出力デバイス１０ｆはマイクからの音声の入力と、レシーバへの音声の出力と、スピーカへの音声の出力と、イヤホンジャック１０ｇとの音声の入出力を制御する。
【００２０】
イヤホンジャック１０ｇは、イヤホンを介して音声を出力する場合に、イヤホンを挿入するためのコネクタである。また、イヤホンジャック１０ｇは、マイク付きイヤホンを介して音声を入力する場合には、マイク付きイヤホンを挿入するためのコネクタであってもよい。
【００２１】
無線デバイス１０ｈは、基地局を介して音声データや電子メールの送受信を実行する。また、無線デバイス１０ｈは、基地局を介さずに、近距離にある外部装置との通信を制御することもできる。例えば、無線デバイス１０ｈは、赤外線通信、Bluetooth（登録商標）、FeliCa（登録商標）などのインタフェースを持つデバイスである。また、無線デバイス１０ｈは、無線通信によりＷｉ−Ｆｉシステム（Wireless  Fidelity、Ｗｉ−Ｆｉは登録商標）のアクセスポイントとの間で通信をしてもよい。
【００２２】
［機能構成］
図３は、実施例１に係る携帯電話機の機能構成を示す機能ブロック図である。図３に示すように、携帯電話機１０は、挿入部１１、加速度検出部１２、スイッチング部１３、制御部２０を有する。
【００２３】
挿入部１１は、イヤホンなどの接続端子を挿入する処理部であり、図２に示したイヤホンジャック１０ｇの一例である。この挿入部１１は、挿入検出部２３とスイッチング部１３とに接続されるとともに、グラウンド１４に接続される。なお、挿入部１１には、接続端子の検出用の電圧以外にも、携帯電話機１０自体から電力が供給される。
【００２４】
加速度検出部１２は、携帯電話機１０が移動させられた際の加速度を検出する処理部であり、図２に示した加速度センサ１０ｅの一例である。加速度検出部１２は、検出した加速度を制御部２０の加速度判定部２１に出力する。
【００２５】
スイッチング部１３は、挿入部１１への電源電圧Ｖｄｄの印加を制御するスイッチング処理部であり、プルアップ抵抗の一例である。例えば、スイッチング部１３は、印加制御部２２から印加指示を受信すると、電源電圧Ｖｄｄと挿入部１１とを接続し、挿入部１１へ電源電圧Ｖｄｄの印加を開始する。この結果、スイッチング部１３、挿入検出部２３、挿入部１１の間の電圧がＨｉｇｈの状態となる。なお、本実施例では、スイッチング部１３、挿入検出部２３、挿入部１１を接続する接続箇所をノードＡと表記する場合がある。
【００２６】
また、スイッチング部１３は、印加制御部２２から電圧印加の停止指示を受信すると、電源電圧Ｖｄｄと挿入部１１とを切断し、挿入部１１へ電源電圧Ｖｄｄの印加を停止する。この結果、ノードＡの電圧が不定電位の状態となる。
【００２７】
制御部２０は、加速度判定部２１、印加制御部２２、挿入検出部２３、音響制御部２４を有し、これらによって挿入部１１に対して、接続端子の検出用電圧の印加制御を実行する。この制御部２０は、図２に示したＣＰＵ１０ａの一例であり、各処理部は、ＣＰＵ１０ａが有する電子回路やＣＰＵ１０ａが実行するプロセスの一例である。
【００２８】
加速度判定部２１は、加速度検出部１２によって検出された加速度が閾値を超えるか否かを判定する処理部である。例えば、加速度判定部２１は、加速度αが検出された場合に、閾値β以上か否かを判定する。そして、加速度判定部２１は、加速度αが閾値β以上であると判定した場合、閾値以上の加速度が検出されたことを示す信号等を印加制御部２２に出力する。
【００２９】
印加制御部２２は、スイッチング部１３のスイッチングを制御する処理部である。具体的には、印加制御部２２は、加速度判定部２１によって検出された加速度が閾値未満から閾値以上になった場合に、挿入部が接続される接続ラインへの電圧の印加を開始する。
【００３０】
例えば、印加制御部２２は、加速度判定部２１から閾値以上の加速度が検出されたことを示す信号等を受信すると、電圧の印加指示をスイッチング部１３に出力する。その後、印加制御部２２は、挿入検出部２３から挿入部１１に接続端子が接続されていることを示す信号を受信した場合は、スイッチング部１３が電圧を印加している状態を維持する。一方で、印加制御部２２は、挿入検出部２３から挿入部１１に接続端子が接続されていることを示す信号を受信しない場合は、スイッチング部１３に対して、電圧印加の停止指示を出力する。
【００３１】
挿入検出部２３は、挿入部１１への接続端子の挿入を検出する処理部である。具体的には、挿入検出部２３は、挿入部１１と電気的に接続され、挿入部１１との接続ラインの電位に基づいて、接続端子が挿入部１１に挿入されているか否かを検出する。つまり、挿入検出部２３は、イヤホンジャック１０ｇにイヤホン３０が挿入されたかを検出する。
【００３２】
例えば、挿入検出部２３は、ノードＡの電圧がＨｉｇｈである場合、接続端子が未挿入であると検出する。そして、挿入検出部２３は、接続端子が未挿入であることを示す信号を印加制御部２２や音響制御部２４に出力する。
【００３３】
一方、挿入検出部２３は、ノードＡの電圧がＬｏｗである場合、接続端子が挿入されたと検出する。そして、挿入検出部２３は、接続端子が挿入中であることを示す信号を印加制御部２２や音響制御部２４に出力する。
【００３４】
つまり、閾値以上の加速度が検出されると、スイッチング部１３がオン状態となり、ノードＡに電圧が印加されるので、ノードＡの電圧がＨｉｇｈとなる。この状態から、挿入部１１に接続端子が挿入されると、挿入部１１を介してノードＡの電圧がグラウンド１４に引かれてＬｏｗとなる。
【００３５】
したがって、挿入検出部２３は、スイッチング部１３がオン状態かつノードＡがＬｏｗのときには、接続端子が挿入部１１に挿入されていると検出する。また、挿入検出部２３は、スイッチング部１３がオン状態かつノードＡがＨｉｇｈのときには、接続端子が挿入部１１に挿入されていないと検出する。
【００３６】
音響制御部２４は、音楽データを再生する処理部である。例えば、音響制御部２４は、挿入検出部２３から接続端子が挿入中であることを示す信号を受信した状態で、音楽データを再生する場合、挿入されている接続端子に音声を出力する。なお、音響制御部２４は、挿入検出部２３から接続端子が挿入中ではないことを示す信号を受信した状態で、音楽データを再生する場合、図示しないスピーカ等に音声を出力する。
【００３７】
［処理の流れ］
図４は、実施例１に係る電圧制御処理の流れを示すフローチャートである。図４に示すように、携帯電話機１０は、加速度を検出すると（Ｓ１０１：Ｙｅｓ）、検出された加速度が閾値以上か否かを判定する（Ｓ１０２）。
【００３８】
続いて、携帯電話機１０は、検出された加速度が閾値以上である場合（Ｓ１０２：Ｙｅｓ）、スイッチング部１３をオン状態にしてノードＡに電圧を印加し、プルアップ状態へ切り替える（Ｓ１０３）。
【００３９】
そして、携帯電話機１０は、挿入検出部２３が検出する接続端子の検出信号がＬｏｗである場合、すなわちノードＡの電圧がＬｏｗである場合（Ｓ１０４：Ｙｅｓ）、接続端子が接続されていると判定して、電圧印加を維持する。
【００４０】
その後、携帯電話機１０は、加速度を検出すると（Ｓ１０５：Ｙｅｓ）、検出された加速度が閾値以上か否かを判定する（Ｓ１０６）。
【００４１】
そして、携帯電話機１０は、検出された加速度が閾値以上である場合（Ｓ１０６：Ｙｅｓ）、挿入検出部２３が検出する接続端子の検出信号がＨｉｇｈであるか否か、すなわちノードＡの電圧がＨｉｇｈであるか否かを判定する（Ｓ１０７）。
【００４２】
そして、携帯電話機１０は、接続端子の検出信号がＨｉｇｈである場合（Ｓ１０７：Ｙｅｓ）、接続端子が抜去されたと判定して、プルアップなし状態へ切り替える（Ｓ１０８）。つまり、携帯電話機１０は、スイッチング部１３をオフ状態にしてノードＡへの電圧印加を停止する。
【００４３】
一方、Ｓ１０４において、携帯電話機１０は、挿入検出部２３が検出する接続端子の検出信号がＨｉｇｈである場合（Ｓ１０４：Ｎｏ）、接続端子が接続されていないと判定して、プルアップなし状態へ切り替える（Ｓ１０８）。
【００４４】
また、Ｓ１０５において加速度が検出されない場合（Ｓ１０５：Ｎｏ）、Ｓ１０６において加速度が閾値未満の場合（Ｓ１０６：Ｎｏ）、Ｓ１０７において接続端子の検出信号がＬｏｗである場合（Ｓ１０７：Ｎｏ）、携帯電話機１０はＳ１０５以降を繰り返す。
【００４５】
［処理遷移］
図５は、実施例１に係る電圧制御の処理遷移を説明する図である。図５に示すように、携帯電話機１０は、閾値以上の加速度を検出すると（Ｓ１）、スイッチング状態をｏｎにする（Ｓ２とＳ３）。そして、ノードＡの電位は、スイッチング状態がｏｎ状態であることからプルアップ状態となり（Ｓ４）、不定電位からＨｉｇｈに変化する（Ｓ５）。
【００４６】
そして、携帯電話機１０は、ノードＡの電位がＨｉｇｈであることを検出すると（Ｓ６）、イヤホンジャックが接続されていないと判定して、スイッチング状態をｏｆｆ状態に遷移させる（Ｓ７とＳ８）。
【００４７】
さらに所定時間経過後、携帯電話機１０は、イヤホンジャックの挿入を検出に伴って（Ｓ９）、閾値以上の加速度を検出し、スイッチング状態をｏｆｆ状態からｏｎ状態に変更する（Ｓ１０とＳ１１）。
【００４８】
そして、ノードＡの電位は、スイッチング状態がｏｎ状態であることからプルアップ状態となるとともに（Ｓ１２）、イヤホンジャックの挿入に伴って電位がグラウンドに引かれるので、不定電位からＬｏｗに変化する（Ｓ１３）。つまり、携帯電話機１０は、イヤホンジャックが挿入されている間、プルアップ状態となり、ノードＡに電圧を印加し続ける。
【００４９】
さらに所定時間経過後、携帯電話機１０は、閾値以上の加速度を検出するが（Ｓ１４）、ノードＡの電位がＬｏｗであることから、スイッチングをｏｆｆに変更しない。
【００５０】
さらに所定時間経過後、携帯電話機１０は、イヤホンジャックの抜去を検出する（Ｓ１５）。この結果、ノードＡにはプルアップされた電位だけが印加されるので、ノードＡの電位がＨｉｇｈに上昇する（Ｓ１６）。
【００５１】
また、携帯電話機１０は、イヤホンジャックの抜去に伴って閾値以上の加速度を検出する（Ｓ１７）。さらに、携帯電話機１０は、ノードＡの電位がＨｉｇｈであることを検出するので（Ｓ１８）、スイッチング状態をｏｎ状態からｏｆｆ状態に変更する（Ｓ１９）。この結果、ノードＡへの電位印加が停止されるので、ノードＡの電位が不定電位に変化する（Ｓ２０）。
【００５２】
［効果］
このように、携帯電話機１０は、定常状態ではイヤホン挿入検出用信号がプルアップなし状態であるが、加速度の閾値超過を検出したときにプルアップ状態へ切り替える。そののち、携帯電話機１０は、イヤホン挿入の検出用信号レベルがＬｏｗかＨｉｇｈかを判別することにより挿入の誤検出を防止するように動作する。
【００５３】
さらに、携帯電話機１０は、イヤホンが挿入されている状態では、加速度の閾値超過を検出したときにイヤホン挿入の検出用信号レベルがＨｉｇｈかＬｏｗかを判別することにより抜去の誤検出を防止するように動作する。また、携帯電話機１０は、抜去の正検出の場合にイヤホン挿入の検出用信号をプルアップなし状態、すなわち定常状態へ切り替えるように動作する。
【００５４】
したがって、携帯電話機１０のイヤホンジャック１０ｇの内壁が常時プルアップ状態ではなくなるため、電子の流れによる錆の発生を低減させることができる。この結果、イヤホン３０とイヤホンジャック１０ｇとの間の接触不良による誤動作を防止することができ、信頼性の高い携帯電話機を提供することができる。
【実施例２】
【００５５】
ところで、実施例１では、イヤホン３０が挿入されている間ノードＡに電圧を印加し続ける例を説明したが、これに限定されるものではなく、イヤホン３０が抜去されるまではノードＡの電圧印加を抑制することもできる。
【００５６】
そこで、実施例２では、イヤホン３０が挿入された後、抜去されるまでの間は、ノードＡの電圧印加を抑制する例について説明する。
【００５７】
［処理の流れ］
図６は、実施例２に係る電圧制御処理の流れを示すフローチャートである。図６に示すように、携帯電話機１０は、加速度を検出すると（Ｓ２０１：Ｙｅｓ）、検出された加速度が閾値以上か否かを判定する（Ｓ２０２）。
【００５８】
続いて、携帯電話機１０は、検出された加速度が閾値以上である場合（Ｓ２０２：Ｙｅｓ）、スイッチング部１３をオン状態にしてノードＡに電圧を印加し、プルアップ状態へ切り替える（Ｓ２０３）。
【００５９】
そして、携帯電話機１０は、挿入検出部２３が検出する接続端子の検出信号がＬｏｗである場合（Ｓ２０４：Ｙｅｓ）、接続端子の接続を検出済みと判定し、プルアップなし状態へ切り替える（Ｓ２０５）。すなわち、携帯電話機１０は、スイッチング部１３をオフ状態にしてノードＡへの電圧印加を停止する。
【００６０】
その後、携帯電話機１０は、加速度を検出すると（Ｓ２０６：Ｙｅｓ）、検出された加速度が閾値以上か否かを判定する（Ｓ２０７）。
【００６１】
そして、携帯電話機１０は、検出された加速度が閾値以上である場合（Ｓ２０７：Ｙｅｓ）、スイッチング状態をオン状態にして、プルアップ状態へ切り替える（Ｓ２０８）。
【００６２】
その後、携帯電話機１０は、挿入検出部２３が検出する接続端子の検出信号がＨｉｇｈである場合（Ｓ２０９：Ｙｅｓ）、接続端子が抜去されたと判定して、プルアップなし状態へ切り替える（Ｓ２１０）。つまり、携帯電話機１０は、スイッチング部１３をオフ状態にしてノードＡへの電圧印加を停止する。
【００６３】
一方、Ｓ２０４において、携帯電話機１０は、挿入検出部２３が検出する接続端子の検出信号がＨｉｇｈである場合（Ｓ２０４：Ｎｏ）、接続端子が接続されていないと判定して、プルアップなし状態へ切り替える（Ｓ２１０）。
【００６４】
また、Ｓ２０６において加速度が検出されない場合（Ｓ２０６：Ｎｏ）、Ｓ２０７において加速度が閾値未満の場合（Ｓ２０７：Ｎｏ）、携帯電話機１０はＳ２０６以降を繰り返す。また、Ｓ２０９において、接続端子の検出信号がＬｏｗである場合（Ｓ２０９：Ｎｏ）、携帯電話機１０は、Ｓ２０５以降を繰り返す。
【００６５】
［処理遷移］
図７は、実施例２に係る電圧制御の処理遷移を説明する図である。図７に示すように、携帯電話機１０は、閾値以上の加速度を検出すると（Ｓ３０）、スイッチング状態をｏｎにする（Ｓ３１とＳ３２）。そして、ノードＡの電位は、スイッチング状態がｏｎ状態であることからプルアップ状態となり（Ｓ３３）、不定電位からＨｉｇｈに変化する（Ｓ３４）。
【００６６】
そして、携帯電話機１０は、ノードＡの電位がＨｉｇｈであることを検出すると（Ｓ３５）、イヤホンジャックが接続されていないと判定して、スイッチング状態をｏｆｆ状態に遷移させる（Ｓ３６とＳ３７）。
【００６７】
さらに所定時間経過後、携帯電話機１０は、イヤホンジャックの挿入を検出に伴って（Ｓ３８）、閾値以上の加速度を検出し、スイッチング状態をｏｆｆ状態からｏｎ状態に変更する（Ｓ３９とＳ４０）。
【００６８】
そして、ノードＡの電位は、スイッチング状態がｏｎ状態であることからプルアップ状態となるとともに（Ｓ４１）、イヤホンジャックの挿入に伴って電位がグラウンドに引かれるので、不定電位からＬｏｗに変化する（Ｓ４２）。続いて、携帯電話機１０は、ノードＡの電位がＬｏｗ状態であることからイヤホンの挿入を検出し（Ｓ４３とＳ４４）、スイッチング状態をｏｆｆ状態にする（Ｓ４５）。この結果、ノードＡへの電位印加が停止されるので、ノードＡの電位が不定電位に変化する。
【００６９】
さらに所定時間経過後、携帯電話機１０は、閾値以上の加速度を検出するが（Ｓ４６）、ノードＡの電位がＬｏｗであることから、スイッチング状態をｏｎ状態に変更する（Ｓ４７）。
【００７０】
ところが、携帯電話機１０は、ノードＡの電位がＬｏｗであることから、イヤホン３０が挿入されておらず、イヤホン３０の誤検出と判定して（Ｓ４８からＳ５０）、スイッチング状態をｏｆｆに変更する（Ｓ５１）。この結果、ノードＡへの電位印加が再度停止されるので、ノードＡの電位が不定電位に変化する。
【００７１】
さらに所定時間経過後、携帯電話機１０は、イヤホンジャックの抜去を検出に伴って（Ｓ５２）、閾値以上の加速度を検出し（Ｓ５３）、スイッチング状態をｏｎにする（Ｓ５４とＳ５５）。そして、ノードＡの電位は、スイッチング状態がｏｎ状態であることからプルアップ状態となり（Ｓ５６）、ノードＡにはプルアップされた電位だけが印加されるので、不定電位からＨｉｇｈに変化する（Ｓ５７）。
【００７２】
続いて、携帯電話機１０は、ノードＡの電位がＨｉｇｈであることを検出すると（Ｓ５８）、イヤホンジャックが接続されていないと判定して、スイッチング状態をｏｆｆ状態に遷移させる（Ｓ５９とＳ６０）。
【００７３】
［効果］
このように、携帯電話機１０は、イヤホン挿入状態にて加速度が発生しない限り、イヤホン挿入検出用信号をプルアップなし状態で継続する。この結果、携帯電話機１０は、イヤホン挿入状態での水濡れ時に、携帯電話機１０内への大電流の流れ込みによる携帯電話機１０の故障を防止することができる。
【実施例３】
【００７４】
さて、これまで本発明の実施例について説明したが、本発明は上述した実施例以外にも、種々の異なる形態にて実施されてよいものである。
【００７５】
［電子装置例］
上記実施例では、携帯電話機１０を例にして説明したが、これに限定されるものではなく、例えばスマートフォンなどの端末や携帯型の音楽プレイヤーなどのように、外部端子を接続できる電子装置についても同様に適用することができる。
【００７６】
［挿入部例］
上記実施例では、イヤホンジャック１０ｇを例にして説明したが、これに限定されるものではなく、マイクの挿入部などのように、外部の接続端子を挿入する挿入部であれば、どのような形態の挿入部についても同様に適用することができる。
【００７７】
［システム構成等］
また、図示した装置の各構成は、必ずしも物理的に図示の如く構成されていることを要しない。すなわち、任意の単位で分散または統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７８】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７９】
なお、本実施例で説明した携帯電話機１０は、電圧制御プログラムを読み込んで実行することで、図３等で説明した処理と同様の機能を実行することができる。例えば、携帯電話機１０は、電圧制御プログラムを実行することで、加速度判定部２１、印加制御部２２、挿入検出部２３、音響制御部２４などを実行するプロセスを起動して、上記実施例と同様の処理を実行することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することができる。
【符号の説明】
【００８０】
１０  携帯電話機
１０ａ  ＣＰＵ
１０ｂ  メモリ
１０ｃ  ＨＤＤ
１０ｄ  表示デバイス
１０ｅ  加速度センサ
１０ｆ  入出力デバイス
１０ｇ  イヤホンジャック
１０ｈ  無線デバイス
１１  挿入部
１２  加速度検出部
１３  スイッチング部
２０  制御部
２１  加速度判定部
２２  印加制御部
２３  挿入検出部
２４  音響制御部
３０  イヤホン
【図１】
2015167282.tif 000003
【図２】
2015167282.tif 000004
【図３】
2015167282.tif 000005
【図４】
2015167282.tif 000006
【図５】
2015167282.tif 000007
【図６】
2015167282.tif 000008
【図７】
2015167282.tif 000009